(57)【特許請求の範囲】
【請求項１】
空気のための入口部（１１）、出口部（１２）、および入口部（１１）と出口部（１２）間に延在する中間通路（１３）から成り、前記入口部が細長いノズル開口部（１１ａ）から成る真空掃除機の室内装飾材用ノズルにおいて、
前記入口部（１１）は、空気の流れる方向において前記細長いノズル開口部（１１ａ）と前記中間通路（１３）との間に配設されたスポット吸引ノズル（１１ｂ）を含み、
前記スポット吸引ノズル（１１ｂ）の入口は、前記細長いノズル開口部（１１ａ）から中間壁（１５）によって分離し、
前記中間壁は、前記細長いノズル開口部（１１ａ）から前記中間通路（１３）へ前記スポット吸引ノズル（１１ｂ）を介して流れる空気のための開口部（１７）を有することを特徴とする室内装飾材用ノズル。
【請求項２】
前記スポット吸引ノズル（１１ｂ）の入口は前記細長いノズル開口部（１１ａ）の入口領域よりも小さいことを特徴とする、請求項１の室内装飾材用ノズル。
【請求項３】
前記スポット吸引ノズル（１１ｂ）の入口は前記細長いノズル開口部（１１ａ）の１端部近傍に配設されていることを特徴とする、請求項１または２の室内装飾材用ノズル。
【請求項４】
前記中間壁（１５）は前記細長いノズル開口部（１１ａ）と概ね同一面内に配設された下面（１６）を有することを特徴とする、請求項１から３のいずれか１の室内装飾材用ノズル。
【請求項５】
ブラシロール（１９）および前記ブラシロールの駆動モータ（２２）を装備し、前記ブラシロールは前記細長いノズル開口部（１１ａ）の長手方向と概ね平行の軸を有することを特徴とする、請求項１から４のいずれか１の室内装飾材用ノズル。
【請求項６】
前記細長いノズル開口部（１１ａ）の長さは約５から２５ｃｍの範囲であることを特徴とする、請求項１の室内装飾材用ノズル。
【請求項７】
前記スポット吸引ノズル（１１ｂ）は、閉塞されたときに、前記細長いノズル開口部（１１ａ）からそのスポット吸引ノズル（１１ｂ）へ流れる空気流速が上昇するように設計されていることを特徴とする、請求項１の室内装飾材用ノズル。
【発明の詳細な説明】
【０００１】
【発明の属する技術分野】
本発明は概ね掃除機の室内装飾材用ノズル、特に空気の入口部ならびに出口部、およびその間に延在する中間通路を有し、前記入口部が細長いノズル開口部から成る室内装飾材用ノズルに関する。
【０００２】
【従来の技術】
室内装飾材を清掃するためのタイプの異なるノズルが当分野において既知である。ソファ等の室内装飾材、家具材を清掃する場合、中央出口へ続く細長い平坦なノズル開口部を有する固定ノズルが一般的に使用される。このノズル開口部の長さは、通常、５から２５ｃｍである。これはノズルが小さく、それにより室内装飾材の清掃の使用に適していることを意味する。かかるノズルの欠点は、その寸法のために、クッション間、クッションの下まわり、および狭い隙間または角部に到達させるのが困難であることである。
【０００３】
この問題を解決するために、他の室内装飾材用ノズルが開発されている。例えば、ＥＰ２７７６２８は細長いノズル開口部に加えて、延ばしたときに空気を吸い込む回転自在パイプを有するノズルを開示している。このパイプは到達するのが困難な上述のごとき場所を効果的に清掃するスポット吸引ノズルを形成する。塵埃除去効果を高めるために、かかるノズルはノズル内に電動モータにより駆動するブラシロールを含む。
【０００４】
残念ながら，このノズルの設計は複雑、かつ清掃作用が異なるごとに手動によるシフト操作を必要とする。従って、手動変換操作を必要とすることなく異なる目的に使用できる簡単な室内装飾材用ノズルに対するニーズが当分野に存在する。
【０００５】
【発明が解決しようとする課題】
本発明は上述の従来技術の欠点を解消または最小限にする室内装飾材用ノズルを提供することを課題とする。更に、本発明は簡単、かつ手動シフトを必要としないで２つの作用に使用できるノズルを提供することを課題とする。
【０００６】
【課題を解決するための手段】
本発明は空気のための入口部、出口部、および前記入口部と前記出口部間に延在する中間通路から成り、前記入口部が細長いノズル開口部から成る掃除機の室内装飾材用ノズルに関し、本発明において前記入口部は空気の流れる方向との関係で前記ノズル開口部および前記中間通路と連続的に配設されたスポット吸引ノズルを含むことを特徴とする。
【０００７】
好適形態において、前記スポット吸引ノズルは空気の流れる方向との関係で前記中間通路と前記ノズル開口部間に配設されている。
好適形態において、前記スポット吸引ノズルの入口は前記ノズル開口部の入口領域よりも小さい。
好適形態において、前記スポット吸引ノズルの入口は前記ノズル開口部の１端部近傍に配設されている。
【０００８】
他の形態において、前記スポット吸引ノズルの入口は中間壁により前記ノズル開口部から分離し、前記中間壁は前記スポット吸引ノズルを介して前記ノズル開口部から前記中間通路へ空気を送るための開口部を有する。
好適形態において、前記中間壁は前記ノズル開口部と概ね同一面内に配設された下面を有する。
【０００９】
好適形態において、本発明によるノズルはブラシロールおよび前記ブラシロールの駆動モータを装備し、前記ブラシロールは前記ノズル開口部の長手方向と概ね平行の軸を有する。
好適形態において、前記ノズル開口部の長さは約５から２５ｃｍの範囲である。
【００１０】
好適形態において、前記スポット吸引ノズルは、閉塞されたときに前記ノズル開口部からそのスポット吸引ノズルへ流れる空気の流速が上昇するように設計されている。
【００１１】
【発明の実施の形態】
以下に、添付図面を参照して本発明の上記および他の特徴を説明する。
図面を参照すると、本発明によるノズルは入口部１１、出口部１２および中間通路１３を有するハウジング１０を含む。出口部１２は掃除機（図示せず）の管ハンドルを連結する管として形成され、かつ係止手段１４により係止される。入口部１１は細長いノズル開口部１１ａおよびスポット吸引ノズル１１ｂから成る。
【００１２】
ノズル開口部１１ａおよびスポット吸引ノズル１１ｂは中間壁１５により相互から分離し、この中間壁はその下部で略垂直に延在する壁部１６へ続いている。中間壁１５はスポット吸引ノズル１１ｂとノズル開口部１１ａ間に開口部１７、およびノズル開口部１１ａの近傍でハウジング１０内に装備されたブラシロール１９の１端部の軸受け装置１８を有する。ブラシロール１９の他端部はそのノズルの１側壁２１上に設けられた軸受け装置２０に支持されている。
【００１３】
ハウジング１０は、また、ブラシロール１９を囲繞しかつ回転自在に駆動する駆動ベルト２４の駆動プーリィを支持するシャフト２３を有する電動モータ２２を包囲する。電動モータ２２は、電気コンダクタ（図示せず）により、掃除機の電気回路へ接続される。電動モータ２２は駆動ベルト２４のための開口部２６を有し、それにより電動モータ２２のためのポケット２７および室２８を形成する壁２５によりブラシロール１９から分離している。ポケット２７は開口部１７を介して中間通路１３と連絡している。
【００１４】
スポット吸引ノズル１１ｂは中間通路１３へ直接通し、かつ本ノズルの１縁部または１側部に形成される。スポット吸引ノズル１１ｂは図示例のごとくノズル開口部１１ａの領域よりも小領域の入口を有する。従って、スポット吸引ノズル１１ｂは、空気の流れとの関係で、中間通路１３とノズル開口部１１ａ間で両者に連続的に形成され、スポット吸引ノズル１１ｂの入口が閉塞される場合に、空気が開口部１７からスポット吸引ノズル１１ｂへ高速で流れるように形成されている。ノズル開口部１１ａおよびスポット吸引ノズル１１ｂの入口は図示例のごとくハウジング１０の下方へ湾曲した前壁部２９に形成されている。
【００１５】
本発明のノズルは次の如く使用されかつ作用する。
ノズルを掃除機の管ハンドルへ連結した後に、湾曲壁部２９をソファまたは他の軟質材の布帛面上へ移動する。電動モータ２２をスタートさせてブラシロール１９を回転させ、それにより布帛面から塵埃を除去する。選択的に、ブラシロール１９を装着しないで、本ノズルを使用することにより満足できる結果を得ることができる。埃の粒子および空気はノズル開口部１１ａおよびスポット吸引ノズル１１ｂの入口から吸引され中間通路１３を通り出口部１２へ送出される。
【００１６】
クッション下の近くの家具、狭い隙間、および角部へより深く到達させるには、スポット吸引ノズル１１ｂをその清掃領域へ侵入するようにノズルを傾斜させ、ノズル開口部１１ａの主部を軟質材面上に設置する。これは、空気が主にノズル開口部１１ａから吸引されて中間壁１５内の開口部１７から、スポット吸引ノズル１１ｂの入口へ暴露された軟質材の表面へ接近しているスポット吸引ノズル１１ｂの入口へ流れ、更に中間通路１３へ流れることを意味する。ノズル開口部１１ａから取り込まれた空気の殆どが軟質材の暴露表面上方で高速で流れるために、塵埃粒子はその表面から効果的に除去される。
【００１７】
以上、本発明の好適形態について図解したが、これに制限されることなく本発明の請求の範囲に属する他のあらゆる改変が本発明に含まれる。例えば、中間壁１５はノズル開口部１１ａの平面まで完全に延在する必要はなく、ノズル開口部１１ａおよびスポット吸引ノズル１１ｂは共通連続入口を形成していてよい。
【図面の簡単な説明】
【図１】本発明によるノズルの側面図である。
【図２】図１のノズルの前部の正面図である。
【図３】図１のIII-III 線に沿ったノズルの断面図である。
【符号の説明】
１０…ノズルのハウジング
１１…入口部
１１ａ…ノズル開口部
１１ｂ…スポット吸引ノズル
１２…出口部
１３…中間通路
１４…係止手段
１５…中間壁
１７…開口部
１９…ブラシロール
１８，２０…軸受け装置
２２…電動モータ
２７…ポケット
【図１】
0004068217.tif 000002
【図２】
0004068217.tif 000003
【図３】
0004068217.tif 000004